(57)【特許請求の範囲】
【請求項１】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断され、上記第２の券が排出口から排出され、上記受入手段により次の券が受入れられた際、上記保留手段により保留されている第１の券を第１の集札箱へ集札する第１の処理手段と、
上記第２の判断手段により第２の券に所定の情報が正しく記録されなかったと判断された場合に、上記第２の券を排出口から排出し、上記保留手段により保留されている第１の券を第２の集札箱へ集札する第２の処理手段と、
を具備したことを特徴とする自動改札装置。
【請求項２】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断され、上記第２の券が排出口から排出され、上記受入手段により次の券が受入れられた際、上記保留手段により保留されている第１の集札箱へ集札する第１の処理手段と、
上記第２の判断手段により第２の券に所定の情報が正しく記録されなかったと判断された場合に、上記第２の券を排出口から排出し、上記保留手段により保留されている第１の券を第１の券を第２の集札箱へ集札する第２の処理手段と、
上記第２の判断手段により第２の券に所定の情報が正しく記録されなかったと判断された場合に、上記記録の異常を報知する報知手段と、
を具備したことを特徴とする自動改札装置。
【請求項３】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断され、上記第２の券が排出口から排出され、上記受入手段により次の券が受入れられた際、上記保留手段により保留されている第１の券を集札箱へ集札する第１の処理手段と、
上記第２の判断手段により第２の券に所定の情報が正しく記録されなかったと判断された場合に、上記第２の券を排出口から排出し、上記保留手段により第１の券をそのまま保留し、上記記録異常を報知する第２の処理手段と、
を具備したことを特徴とする自動改札装置。
【請求項４】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断された場合に、上記第２の券が排出口から排出され、上記受入手段により次の券が受入れられた際、上記保留手段により保留されている第１の券を集札箱へ集札する第１の処理手段と、
上記第２の判断手段により第２の券に所定の情報が正しく記録されなかったと判断された場合に、上記第２の券と上記保留手段により保留されている第１の券とを排出口から排出する第２の処理手段と、
を具備したことを特徴とする自動改札装置。
【請求項５】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断された場合に、上記第２の券が排出口から排出され、上記受入手段により次の券が受入れられた際、上記保留手段により保留されている第１の券を集札箱へ集札する第１の処理手段と、
上記第２の判断手段により第２の券に所定の情報が正しく記録されなかったと判断された場合に、上記第２の券を合流部へ搬送後、上記保留手段により保留されている第１の券を合流部に搬送して、合流部から一括して排出口から排出する第２の処理手段と、
を具備したことを特徴とする自動改札装置。
【請求項６】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断され、上記第２の券が排出口から排出され、この排出口から排出された第２の券が抜き取られた際に、上記保留手段により保留されている第１の券を第１の集札箱へ集札する第１の処理手段と、
上記第２の判断手段により第２の券に所定の情報が正しく記録されなかったと判断された場合に、上記第２の券を排出口から排出し、上記保留手段により保留されている第１の券を第２の集札箱へ集札する第２の処理手段と、
を具備したことを特徴とする自動改札装置。
【請求項７】
第１の券と第２の券を受入れる受入手段と、
この受入手段により受入れた第１の券と第２の券に記録されている改札情報を読取る読取手段と、
この読取手段により読取った改札情報に基づき改札処理を行う改札手段と、
この改札手段により改札処理の終了時、上記読取手段により読取った改札情報に基づき第１の券を集札する券と判断し、第２の券を返却する券と判断する第１の判断手段と、
この第１の判断手段により、集札券と判断した第１の券を保留する保留手段と、
上記第１の判断手段により、返却券と判断した第２の券に対して所定の情報を記録する記録手段と、
この記録手段により第２の券に所定の情報が正しく記録されたか否かを判断する第２の判断手段と、
この第２の判断手段により第２の券に所定の情報が正しく記録されたと判断された際に、上記第２の券を排出口から排出し、上記保留手段により保留されている第１の券を第１の集札箱へ集札する第１の処理手段と、
上記第２の判断手段により第２の券に所定の情報が正しく記録されなかったと判断された場合に、上記第２の券を排出口から排出し、上記保留手段により保留されている第１の券を第２の集札箱へ集札する第２の処理手段と、
を具備したことを特徴とする自動改札装置。
【発明の詳細な説明】
【０００１】
【発明の属する技術分野】
この発明は、複数枚の券を一括して受け入れて改集札処理を行う自動改札装置に関する。
【０００２】
【従来の技術】
近年、鉄道などの交通機関の駅には、乗車券の自動改札処理をする自動改札装置が設置されている。このような自動改札装置では、投入された乗車券に記録されている磁気等の情報を読み取り、通過の可否を判断するとともに、必要に応じて穿孔・印刷等の処理を実施している。
【０００３】
通行の判断が不適であれば、装置の扉を閉めて通行を阻止するとともに、表示パネルや音声案内等により、利用者に注意を促している。さらに、この様な自動改札装置の中には、複数枚の乗車券の組み合わせ利用に対応できるものが実用化されている。
【０００４】
乗車券の組み合わせ利用とは、例えば、定期券と定期券、定期券と普通乗車券など２枚以上の乗車券の乗車区間を組み合わせて利用するもの、乗車券とプリペイドカードを併せて利用するもの、または乗車券、特急券、指定席券を組み合わせて利用するものなどである。
【０００５】
このような複数枚対応の自動改札装置は、乗換駅や、新幹線等の特急券・指定券を利用する集改札処理において利用されている。複数枚対応の自動改札装置では、乗車券の磁気等の情報を１枚ずつ読み取った後、組み合わせの判定を実施し、通過の可否の判断をしている。
【０００６】
判断結果をもとに、可の場合は乗車券に磁気等の記録の書き換え、および穿孔・印刷等を施し、取出口に乗車券を一括して放出させる。
【０００７】
ところで、保留機構を１パス（搬送路）で持つ複数枚対応の改札機では、処理時間を最短とするために、券の処理順序は、分離された順序としている。
【０００８】
そのため、投入された複数枚の券のうち、先に集札券が集札箱に集札され、その後で別の券に対する処理が磁気書込の異常等でエラーとなった場合、旅客（利用者）にはエラーとなった券のみが返却されるが、集札された券の特定が困難なため（集札箱内には多数の集札券が混在するため）、駅員処理時に通行判定が困難となっていた。
【０００９】
【発明が解決しようとする課題】
この発明は、投入された複数枚の券のうち集札券が先に集札処理され、その後、別の券に対する処理がエラーとなった場合、集札券の特定が困難になるという欠点を除去するもので、投入された複数枚の券のうち集札券が先に集札処理され、その後別の券に対する処理がエラーとなった場合、集札券の特定を容易にできる自動改札装置を提供することを目的とする。
【００１０】
【課題を解決するための手段】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断され、上記第２の券が排出口から排出され、上記受入手段により次の券が受入れられた際、上記保留手段により保留されている第１の券を第１の集札箱へ集札する第１の処理手段、および上記第２の判断手段により第２の券に所定の情報が正しく記録されなかったと判断された場合に、上記第２の券を排出口から排出し、上記保留手段により保留されている第１の券を第２の集札箱へ集札する第２の処理手段から構成されている。
【００１１】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断され、上記第２の券が排出口から排出され、上記受入手段により次の券が受入れられた際、上記保留手段により保留されている第１の集札箱へ集札する第１の処理手段、上記第２の判断手段により第２の券に所定の情報が正しく記録されなかったと判断された場合に、上記第２の券を排出口から排出し、上記保留手段により保留されている第１の券を第１の券を第２の集札箱へ集札する第２の処理手段、および上記第２の判断手段により第２の券に所定の情報が正しく記録されなかったと判断された場合に、上記記録の異常を報知する報知手段から構成されている。
【００１２】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断され、上記第２の券が排出口から排出され、上記受入手段により次の券が受入れられた際、上記保留手段により保留されている第１の券を集札箱へ集札する第１の処理手段、および上記第２の判断手段により第２の券に所定の情報が正しく記録されなかったと判断された場合に、上記第２の券を排出口から排出し、上記保留手段により第１の券をそのまま保留し、上記記録異常を報知する第２の処理手段から構成されている。
【００１３】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断された場合に、上記第２の券が排出口から排出され、上記受入手段により次の券が受入れられた際、上記保留手段により保留されている第１の券を集札箱へ集札する第１の処理手段、および上記第２の判断手段により第２の券に所定の情報が正しく記録されなかったと判断された場合に、上記第２の券と上記保留手段により保留されている第１の券とを排出口から排出する第２の処理手段から構成されている。
【００１４】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断された場合に、上記第２の券が排出口から排出され、上記受入手段により次の券が受入れられた際、上記保留手段により保留されている第１の券を集札箱へ集札する第１の処理手段、および上記第２の判断手段により第２の券に所定の情報が正しく記録されなかったと判断された場合に、上記第２の券を合流部へ搬送後、上記保留手段により保留されている第１の券を合流部に搬送して、合流部から一括して排出口から排出する第２の処理手段から構成されている。
【００１５】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断され、上記第２の券が排出口から排出され、この排出口から排出された第２の券が抜き取られた際に、上記保留手段により保留されている第１の券を第１の集札箱へ集札する第１の処理手段、および上記第２の判断手段により第２の券に所定の情報が正しく記録されなかったと判断された場合に、上記第２の券を排出口から排出し、上記保留手段により保留されている第１の券を第２の集札箱へ集札する第２の処理手段から構成されている。
【００１６】
この発明の自動改札装置は、第１の券と第２の券を受入れる受入手段、この受入手段により受入れた第１の券と第２の券に記録されている改札情報を読取る読取手段、この読取手段により読取った改札情報に基づき改札処理を行う改札手段、この改札手段により改札処理の終了時、上記読取手段により読取った改札情報に基づき第１の券を集札する券と判断し、第２の券を返却する券と判断する第１の判断手段、この第１の判断手段により、集札券と判断した第１の券を保留する保留手段、上記第１の判断手段により、返却券と判断した第２の券に対して所定の情報を記録する記録手段、この記録手段により第２の券に所定の情報が正しく記録されたか否かを判断する第２の判断手段、この第２の判断手段により第２の券に所定の情報が正しく記録されたと判断された際に、上記第２の券を排出口から排出し、上記保留手段により保留されている第１の券を第１の集札箱へ集札する第１の処理手段、および上記第２の判断手段により第２の券に所定の情報が正しく記録されなかったと判断された場合に、上記第２の券を排出口から排出し、上記保留手段により保留されている第１の券を第２の集札箱へ集札する第２の処理手段から構成されている。
【００１７】
【発明の実施の形態】
以下、この発明の第１の実施形態について図面を参照して説明する。
【００１８】
図１は、上記自動改札装置の外観構成を概略的に示すものである。自動改札装置は、通常、２台１組として駅の改札口などに設置され、両者の間に通行者が通行する通路が形成される。
【００１９】
すなわち、入場業務や出場業務を行う自動改札装置の本体１によって構成されている。この本体１には、駅の改札口内つまり構内への入場時、あるいは駅の改札口内つまり構内からの出場時に、乗車券（普通乗車券、定期乗車券、ＳＦカード）等が投入される投入口２、この投入口２で受け入れた乗車券等を排出する取出口３（排出口）がそれぞれ設けられている。投入口２の近傍には、乗車券等の投入を阻止するためのシャッタ（図示しない）が設けられている。
【００２０】
本体１上の投入口２と取出口３の前方には、それぞれ通行者や駅員などに対して案内を行うための案内表示部４が設けられている。
【００２１】
本体１の通路側の側面の両端部には、それぞれ通行者の通行を制御する開閉動作可能なドア５、５が設けられており、通行可否の判定結果に基づき、このドア５、５が開閉制御されるようになっている。
【００２２】
本体１の上部には、通行者の通路を定義するための枠状のポール部（枠体）６が立設されている。そして、ポール部６および本体１の各通路側の側面には、通行者の通過を検知する複数の光学的なセンサとしての人間検知器７、…それぞれ設けられている。図１の場合、受光器で、反対側に発光器がある。
【００２３】
また、ポール部６上には、この装置の動作状態（小児券の投入、無効券の投入や機器の異常など）を表示する状態表示部８が設けられている。
【００２４】
次に、図２を用いて本体１の内部機構の概略構成を説明する。すなわち、投入口２と取出口３との間には、投入口２により受け入れた乗車券等を取出口３（矢印ａ方向）に搬送する主搬送路１１が形成されている。
【００２５】
主搬送路１１の搬送路上には投入口２から取出口３に沿い、分離部１２、整列部１３、磁気情報読取部（磁気ヘッド；読取ヘッド）１４、１５、反転部１６、保留部１７、磁気情報記録部（磁気ヘッド；書込ヘッド）１８、磁気情報読取部（磁気ヘッド；読取ヘッド）１９、入鋏部２０、印刷部２１、振分部（振分ゲート）２２、集積部２３が順に設けられている。
【００２６】
また、主搬送路１１から分岐される分岐搬送路２５が設けられている。この分岐搬送路２５の搬送経路上には、穿孔部２６、印刷部２７が順に設けられている。
【００２７】
また、振分部２２によって主搬送路１１から分岐される集札用搬送路２８には、集札保留部２９、振分部（振分ゲート）３０が順に設けられ、さらに、その先に集札部３１（第１の集札箱）が設けられている。
【００２８】
また、振分部３０によって集札用搬送路２８から分岐される別集札用搬送路３２の先には、別集札部３３（第２の集札箱）が設けられている。
【００２９】
上記分離部１２は、投入口２に投入された乗車券等の券（最大３枚まで）を一括して受け入れ、１枚ずつに分離して整列部１３に送出するものである。
【００３０】
整列部１３は、上記分離部１２から送出されてきた１枚ずつの券を整列して読取ヘッド１４、１５へ送出するものである。
【００３１】
上記読取ヘッド１４、１５は、乗車券等の裏面の磁気記録層に記録されているエンコード磁気情報を読み取るものである。上記読取ヘッド１４は、磁気記録層が上側で搬送された際に読み取るものであり、上記読取ヘッド１５は、磁気記録層が下側で搬送された際に読み取るものである。
【００３２】
上記反転部１６は、上記読取ヘッド１４、１５を介して供給される券の表裏が正しい場合（磁気記録層が下側の場合）、反転搬送路１６ａを介さないで保留部１７へ搬送し、上記読取ヘッド１４、１５を介して供給される券の表裏が反転している場合（磁気記録層が上側の場合）、反転搬送路１６ａに券を搬送した後、この反転搬送路１６ａから搬送路１６ｂを介して主搬送路１１へ導くことにより、券の表裏を反転して搬送するものである。
【００３３】
上記保留部１７には、上記反転部１６を通過して主搬送路１１を搬送される券を保留するストッパ１７ａ、１７ｂが設けられている。上記ストッパ１７ａ、１７ｂを解除することにより、保留されている券が主搬送路１１を搬送されるようになっている。
【００３４】
上記書込ヘッド１８は、乗車券等の裏面の磁気記録層に対してエンコード磁気情報を記録するものである。
【００３５】
読取ヘッド１９は、ベリファイ用のヘッドであり、上記書込ヘッド１８で記録されたエンコード磁気情報を読み取るものである。
【００３６】
入鋏部２０は、主搬送路１１によって搬送されてきた乗車券等に入鋏としての穿孔を開けるものである。印刷部２１は、主搬送路１１によって搬送されてきた乗車券等に日付等を印刷（インクリボンを用いた印刷）するものである。
【００３７】
穿孔部２６は、分岐搬送路２５によって搬送されてきた乗車券等に穿孔を開けるものである。印刷部２７は、分岐搬送路２５によって搬送されてきた乗車券等に駅名や日付等を印刷（感熱記録）するものである。
【００３８】
集積部２３は、一括投入された乗車券等を重ねて揃えるものである。この集積部２３には、保留用のストッパ２３ａが設けられ、このストッパ２３ａにより、乗車券等がまとめられて取出口３から排出されるようになっている。
【００３９】
集札保留部２９は、集札券を保留するストッパ２９ａにより構成されている。このストッパ２９ａにより集札券が集札部３１あるいは別集札部３３へ回収される手前で一時保留されるようになっている。また、上記振分部３０は、集札用搬送路２８によって搬送されてきた券を集札部３１あるいは別集札部３３へ選択的に振り分けるものである。
【００４０】
上記投入口２の近傍には、シャッタ２ａが設けられている。
【００４１】
上記投入口２の近傍には、投入口２からの券の投入を検知する検知器５１が設けられ、上記取出口３の近傍には、取出口３からの券の抜き取りを検知する検知器５２が設けられ、上記印刷部２１、２７の近傍には、搬送される券の通過を検知する検知器５３が設けられ、集積部２３には、プールされている券の有無を検知する検知器５４が設けられている。
【００４２】
更に、上記各搬送経路上には、搬送される券の通過を検知する検知器（図示しない）が設けられている。
【００４３】
図３は、図２のように構成された自動改札装置の制御系統を概略的に示すものである。自動改札装置の制御系統は、自動改札装置全体を制御するセントラル・プロセッシング・ユニット（以下、ＣＰＵと略記する）６０、ＣＰＵ６０の制御プログラムを記憶しているリード・オンリー・メモリ６１（以下、ＲＯＭと略記する）、乗車券等から読み取った情報の記憶および制御プログラムのバッファとして情報を記憶するランダム・アクセス・メモリ６２（以下、ＲＡＭと略記する）、入場駅（から設置駅まで）に対応した運賃情報を記憶している運賃メモリ６３、読取ヘッド１４、１５を制御する読取回路６４、書込ヘッド１８を制御する書込回路６５、読取ヘッド１９を制御する読取回路６６、振分ゲート２２、３０を制御する振分制御回路６７、通過検知用の検知器５３、…の出力により乗車券等の搬送状態を検知する検知回路６８、検知器５１の出力により投入口２での券の投入状態および検知器５２の出力により取出口３での券の抜き取りを検知する検知回路６９、検知器５４の出力により集積部２３での券の状態を検知する検知回路７１、乗車券等を搬送する主搬送路１１、反転部１６の各搬送路、分岐搬送路２５、集札用搬送路２８、別集札用搬送路３２を形成する搬送ベルトや搬送ローラを回転させる搬送用モータ７２を制御する搬送制御回路７３、上記人間検知器７、…の出力により乗車券等の投入者の通過（移動位置）を検知する通過検知回路７４、ドア５を駆動するドア開閉機構７５を制御するドア制御回路７６、印刷部２１、２７を駆動する駆動回路７７、入鋏部２０、穿孔部２６を制御する制御回路７８、自動改札装置を制御する係員監視装置８７あるいはホストコンピュータ等との間で情報の伝達を行う伝達制御回路７９、シャッタ２ａを駆動するシャッタ開閉機構８０を制御するシャッタ制御回路８１、ストッパ１７ａ、１７ｂ、２３ａ、２９ａを駆動するストッパ移動機構８２を制御するストッパ制御回路８３、音声にて操作案内を行うスピーカ８４を駆動する駆動回路８５、上記案内表示部４、状態表示部８等から構成されている。
【００４４】
なお、上記係員監視装置８７には、上記自動改札装置が複数台接続されて各自動改札装置を集中監視するものであり、各自動改札装置からの状況情報に基づき、各自動改札装置の稼働状況、異常状態（エラー状態、号機表示等）などを表示部８７ａにより表示するようになっている。
【００４５】
上記ＣＰＵ６０は、一括投入された券を一枚づつ処理する際に、乗車券が集札券であると判断し、かつ後から処理する券が存在する場合に、集札保留部２９へ集札券を保留するものである。
【００４６】
また、上記ＣＰＵ６０は、集札保留部２９に集札券が保留されている状態で、次に処理する券に対する後方処理がエラーとなった際、集札券を別集札部３２へ搬送するようにしたものである。
【００４７】
上記後方処理のエラーとは、磁気ヘッド１９によって乗車券の磁気情報の読取を行った際、磁気ヘッド１８により磁気情報が乗車券に正しく書き込まれていないと判断された場合である。上記後方処理のエラーを乗車券に対する穿孔が正しく行われなかった場合、あるいは、印刷処理が正しく行われなかった場合としても良い。
【００４８】
また、上記ＣＰＵ６０は、上記後方処理等でエラーが生じなかった場合に、集札保留部２９に保留されている集札券を検知器５１からの検知信号により次客による投入口２への券投入を判断した際に、集札部３１へ回収するものである。
【００４９】
次に、上記のような構成において、複数枚の投入券に対する改集札処理について、図４に示すフローチャートを用いて詳細に説明する。すなわち、利用者により投入口２へ複数枚の乗車券が一括投入されると（ＳＴ１）、複数枚の乗車券は分離部１２において一枚ずつに分離され、順次、主搬送路１１上を矢印ａ方向に搬送され、整列部１３で整列された後、読取ヘッド１４、１５により乗車券の磁気情報が読み取られ、ＣＰＵ６０に供給される（ＳＴ２）。そして、磁気情報の読取後、乗車券は、必要に応じて反転部１６において反転処理がなされ、保留部１７へ保留される（ＳＴ３）。
【００５０】
そして、ＣＰＵ６０は、全乗車券の読取内容に基づいて組み合わせ判定を実施し（ＳＴ４）、通行の可否を判定する（ＳＴ５）。
【００５１】
その結果、通行可の場合には、ＣＰＵ６０はストッパ１７ａ、１７ｂを解除し、保留部１７において保留されていた乗車券を１枚ずつ後方へ搬送し、搬送された各乗車券に対して必要な後方処理を行う（ＳＴ６）。
【００５２】
ＣＰＵ６０は、この後方処理の実行中、後方処理が正しくなされているか否かを判断する（ＳＴ７）。
【００５３】
後方処理が正しくなされたものと判断すると、ＣＰＵ６０は、正常処理を実行する（ＳＴ８）。
【００５４】
一方、上記ステップ７において、後方処理が正しくなされなかったものと判断すると、ＣＰＵ６０は、エラー処理を実行する。
【００５５】
なお、上記ステップ５の結果、通行不可の場合は、通行不許可処理を行う。
【００５６】
次に、一例として、集札券を含む２枚の乗車券が投入され、先に集札券が処理された後、２枚目の乗車券に対する磁気書込処理でエラーとなった場合について図５のフローチャートを用いて詳細に説明する。
【００５７】
すなわち、通行判定の結果、通行可の場合、ＣＰＵ６０は、ストッパ１７ａを解除し、ストッパ１７ａにより保留部１７に保留していた１枚目の乗車券（集札券）を後方へ搬送する。そして、ＣＰＵ６０は、振分ゲート２２を制御し、集札券を集札用搬送路２８へ振り分けると共に、ストッパ移動機構８２を制御してストッパ２９ａにより集札券を集札保留部２９に保留する（ＳＴ１０）。なお、１枚目の乗車券がストッパ１７ａを通過した後、ストッパ１７ａにより２枚目の乗車券が保留部１７に保留される。
【００５８】
ステップ１０の後、ＣＰＵ６０は、ストッパ１７ａを解除し、ストッパ１７ａにより保留部１７に保留していた２枚目の乗車券を後方へ搬送する。この搬送された２枚目の乗車券に対して、磁気ヘッド１８により磁気情報の書込みを行い（ＳＴ１１）、そして、ＣＰＵ６０は、読取ヘッド１９により書き込んだ磁気情報を読取り、その読取内容から磁気情報の書込処理が正しくなされたか否かを判断する（ＳＴ１２）。
【００５９】
この結果、２枚目の乗車券に対する磁気情報の書込処理が正しくなされなかったものと判断すると、ＣＰＵ６０は、この２枚目の乗車券（エラー券）を集積部２３へ搬送し、ストッパ移動機構８２を制御してストッパ２９ａを解除すると共に、振分ゲート３０を制御し、集札保留部２９に保留していた集札券（１枚目の乗車券）を別集札部３３へ回収する（ＳＴ１３）。また、ＣＰＵ６０は、ドア５を閉じ、ストッパ移動機構８２を制御してストッパ２３ａを解除し、集積部２３に保留していたエラー券を取出口３へ排出する（ＳＴ１４）。また、ＣＰＵ６０は、案内表示部４に駅員へ連絡する旨の案内を表示し、伝達制御回路７９を介して係員監視装置８７にエラー内容、自動改札装置を特定する情報（号機番号）を送信する（ＳＴ１５）。
【００６０】
なお、上記ステップ１５の結果、利用者から連絡を受けた駅員は、係員監視装置８７の表示部８７ａに表示されたエラー内容、号機表示により、回収された集札券を、別集札部３３から回収し、利用者の通過の可否を判断する。
【００６１】
上記ステップ１２の結果、２枚目の乗車券に対する磁気情報の書込処理が正しくなされたものと判断すると、ＣＰＵ６０は、返却券（２枚目の乗車券）に対する入鋏部２０あるいは穿孔部２６による穿孔処理、印刷部２１または印刷部２７による日付等の印刷処理などを必要に応じて実行し、返却券を集積部２３へ保留し、ドア５を開くと共に、ストッパ２３ａを解除し、集積部２３に保留されている返却券を取出口３へ排出する（ＳＴ１６）。
【００６２】
そして、取出口３へ排出された返却券が取出された後、次客の乗車券が投入された際に、ＣＰＵ６０はストッパ２９ａを解除し、集札保留部２９に保留されている集札券を集札部３１へ回収する。
【００６３】
上記したように、複数枚対応の自動改札装置において、処理が正常になされた１枚目の乗車券（集札券）は、一旦、集札部３１の手前に設けられた集札保留部２９に保留する。そして、２枚目の乗車券に対する書込処理がエラーとなった際に、先に集札保留部２９に保留していた集札券を別集札部３２へ搬送し、エラー券（２枚目の乗車券）を取出口３へ排出すると共に、係員監視装置８７に障害内容を送信するようにしたものである。
【００６４】
これにより、駅員は集札された券を特定でき、利用者が投入した全ての券から通行判定が可能となり、不正との区別ができる。
【００６５】
上記第１の実施形態では、磁気書込のエラー時に、集札保留部２９に保留された集札券を別集札部３２へ集札するものとしているが、これに限らず、磁気書込のエラー時に、エラー券（２枚目の乗車券）を取出口３から排出し、集札保留部２９にそのまま保留しておくようにしても良い（第２の実施形態）。また、２枚目の乗車券に対する磁気書込がエラーとなった際に、エラー券（２枚目の乗車券）と集札保留部２９に保留されている集札券とを取出口３から排出するようにしても良い（第３の実施形態）。
【００６６】
すなわち、第２の実施形態では、上記図５のフローチャートのステップ１３からステップ１５の処理が以下のようになる（他のステップにおける処理は第１の実施形態と同様）。ＣＰＵ６０は、２枚目の乗車券に対する磁気情報の書込処理が正しくなされなかったものと判断すると、この２枚目の乗車券（エラー券）を集積部２３へ搬送する。そしてドア５を閉じ、ストッパ移動機構８２を制御してストッパ２３ａを解除し、集積部２３内のエラー券を取出口３へ排出する。また、ＣＰＵ６０は、案内表示部４に駅員へ連絡する旨の案内を表示し、伝達制御回路７９を介して係員監視装置８７にエラー内容、自動改札装置を特定する情報（号機番号）を送信する。
【００６７】
第３の実施形態では、上記図５のフローチャートのステップ１３からステップ１５の処理が以下のようになる（他のステップにおける処理は第１の実施形態と同様）。ＣＰＵ６０は、２枚目の乗車券に対する磁気情報の書込処理が正しくなされなかったものと判断すると、この２枚目の乗車券（エラー券）を集積部２３へ搬送する。また、集札保留部２９に保留していた集札券（１枚目の乗車券）を一旦主搬送路１１へ戻した後、その主搬送路１１によって集積部２３へ搬送し、上記２枚目の乗車券と合流させる。そして、集積部２３内のエラー券と集札券を取出口３から排出する。また、ＣＰＵ６０は、案内表示部４に駅員へ連絡する旨の案内を表示し、伝達制御回路７９を介して係員監視装置８７にエラー内容、自動改札装置を特定する情報（号機番号）を送信する。
【００６８】
また、上記第１の実施形態では、２枚目の乗車券に対する磁気書込が正しくなされ、その後、次客により乗車券が投入された際に、集札保留部２９に保留された集札券を集札部３１へ回収するものとしているが、これに限らず、２枚目の乗車券に対する磁気書込が正しくなされたものと判定した際に、集札保留部２９に保留された集札券を集札部３１へ回収するようにしても良い（第４の実施形態）。また、２枚目の乗車券に対する磁気書込が正しくなされたものと判定し、返却券（２枚目の乗車券）を取出口３へ排出し、この排出した返却券が利用者により抜き取られた際に、集札保留部２９に保留された集札券を集札部３１へ回収するようにしても良い（第５の実施形態）。
【００６９】
すなわち、第４の実施形態では、上記図５のフローチャートのステップ１６における回収処理が以下のようになる（他のステップにおける処理は第１の実施形態と同様）。ＣＰＵ６０は、２枚目の乗車券に対する磁気情報の書込処理が正しくなされたものと判断すると、ストッパ移動機構８２を制御してストッパ２９ａを解除すると共に、振分ゲート３０を制御し、集札保留部２９に保留していた集札券（１枚目の乗車券）を集札部３１へ回収する。
【００７０】
第５の実施形態では、上記図５のフローチャートのステップ１６における回収処理が以下のようになる（他のステップにおける処理は第１の実施形態と同様）。ＣＰＵ６０は、２枚目の乗車券に対する磁気情報の書込処理が正しくなされたものと判断すると、返却券（２枚目の乗車券）に対して、穿孔処理、印刷処理などを実行し、集積部２３を介して返却券を取出口３へ排出する。そして、ＣＰＵ６０は、この排出した返却券の抜き取りが検知器５２により検知された際に、集札保留部２９に保留していた集札券（１枚目の乗車券）を集札部３１へ回収する。
【００７１】
なお、上記第１の実施形態における集札保留部２９は、１枚の保留機構であるが、ポケット構造として複数枚を収容するものとしても同様に実施できる。
【００７２】
また、上記第１から第５の実施形態では、１枚目が集札券として保留され、２枚目にエラーが生じた際の処理について説明したが、これに限らず、２枚目が集札券として保留され、３枚目にエラーを生じた場合も同様に実施できる。
【００７３】
【発明の効果】
以上詳述したように、この発明によれば、投入された複数枚の券のうち集札券が先に集札処理され、その後、別の券に対する処理がエラーとなった場合、集札券の特定を容易にできる自動改札装置を提供することができる。
【図面の簡単な説明】
【図１】図１は、この発明の自動改札装置の外観構成を概略的に示す斜視図。
【図２】図２は、自動改札装置の内部機構の概略構成を示す断面図。
【図３】図３は、自動改札装置の制御系統を概略的に示すブロック図。
【図４】図４は、複数枚の投入券に対する改集札処理を説明するためのフローチャート。
【図５】図５は、改集札処理の一例を説明するためのフローチャート。
【符号の説明】
２…投入口
３…取出口
１１…主搬送路
１２…分離部
１４、１５…読取ヘッド
１８…書込ヘッド
１９…読取ヘッド
１９…入鋏部
２１…印刷部
２３…集積部
２６…穿孔部
２７…印刷部
２９…集札保留部
３１…集札部
３２…別集札部
６０…ＣＰＵ
【図１】
0004202497.tif 000002
【図２】
0004202497.tif 000003
【図３】
0004202497.tif 000004
【図４】
0004202497.tif 000005
【図５】
0004202497.tif 000006